(57)【要約】【課題】前ガードに整流翼を簡単に着脱できるようにする。【解決手段】扇風機１の前ガード９とファン７の間に、放射方向に延びる軸線まわりに角度可変な整流翼１０を複数配置する。前ガード９の中心のリム１１の背面側に配置される整流翼保持部２０は、リム１１に固定される固定ハブ２１と、固定ハブ２１に相対回転可能に組み合わせられる可動ハブ２２を備える。可動ハブ２２には整流翼１０の根元部１０ａに形成されたピニオン３７にかみ合うラック３８が形成されている。固定ハブ２１には整流翼１０の根元部１０ａを受け入れる凹部３１が形成され、可動ハブ２２が整流翼１０の根元部１０ａを凹部３１内に押しとどめることにより、整流翼１０の保持がなされる。リム１１に対する固定ハブ２１の固定は、固定ハブ２１をファン７の側から貫通するつまみねじ２９によって行われる。【選択図】図５
2012031750.tif 000002
【特許請求の範囲】
【請求項１】
前ガードとファンの間に複数の整流翼を放射状に配置し、前記整流翼は放射方向に延びる軸線まわりに角度可変であるものとした扇風機において、
前記前ガード中心のリムの背面側に配置され、前記リムに固定される固定ハブと、
前記固定ハブに相対回転可能に組み合わせられ、前記リムの正面側に操作部を突き出した可動ハブを備え、
前記固定ハブには前記整流翼の根元部を受け入れる凹部が形成され、前記可動ハブが前記整流翼の根元部を前記凹部内に押しとどめることにより、前記整流翼の保持がなされるものであり、
前記可動ハブには、前記整流翼の根元部に形成されたピニオンにかみ合うラックが形成されているとともに、
前記リムに対する前記固定ハブの固定は、当該固定ハブを前記ファンの側から貫通するつまみねじによって行われることを特徴とする扇風機。
【請求項２】
前記固定ハブには、それを前記リムに仮固定するための仮固定爪が形成されていることを特徴とする請求項１に記載の扇風機。
【請求項３】
前記固定ハブは前記リムの正面側に配置されたオーナメントディスクに前記つまみねじで連結され、当該オーナメントディスクと共に前記リムに固定されるものであり、
前記オーナメントディスクを囲む形で配置された回転可能なリングが前記可動ハブに連結されて前記操作部を構成することを特徴とする請求項１または２に記載の扇風機。
【発明の詳細な説明】
【技術分野】
【０００１】
本発明は扇風機に関する。
【背景技術】
【０００２】
扇風機は、モータによって回転駆動されるファンをガードで囲み、風速はモータの回転数制御によって変えるというのが一般的な構造である。特許文献１に記載された冷風扇では、加速翼によって風速が増加するようにし、かつ送風域を可変できるようにしている。出願人は、このような加速翼の考えを応用して、前ガードに整流翼を設けた扇風機構造を発明し、特願２００９−０５２１８７として特許出願を行った。
【先行技術文献】
【特許文献】
【０００３】
【特許文献１】特開昭５８−１０６３３７号公報（国際特許分類：Ｆ２４Ｆ１／０２、Ｆ２５Ｂ１９／００）
【発明の概要】
【発明が解決しようとする課題】
【０００４】
前ガードに整流翼を有する扇風機を長時間使用すると、整流翼に埃が付着する。埃で汚れた整流翼は掃除する必要があるが、前ガードと整流翼の間には数ｍｍ程度の隙間しかないため、前ガードに取り付けたままでは整流翼を掃除することは困難である。このような場合、整流翼を簡単に取り外せると便利である。また、扇風機を分解収納する場合や、分解収納していたものを組み立てる場合を考えても、整流翼は簡単に着脱できる構造であることが望まれる。
【０００５】
本発明は上記の点に鑑みなされたものであり、前ガードに整流翼を有する扇風機において、整流翼を簡単に着脱できる構造とすることを目的とする。
【課題を解決するための手段】
【０００６】
本発明の好ましい実施形態によれば、前ガードとファンの間に複数の整流翼を放射状に配置し、前記整流翼は放射方向に延びる軸線まわりに角度可変であるものとした扇風機において、前記前ガード中心のリムの背面側に配置され、前記リムに固定される固定ハブと、前記固定ハブに相対回転可能に組み合わせられ、前記リムの正面側に操作部を突き出した可動ハブを備え、前記固定ハブには前記整流翼の根元部を受け入れる凹部が形成され、前記可動ハブが前記整流翼の根元部を前記凹部内に押しとどめることにより、前記整流翼の保持がなされるものであり、前記可動ハブには、前記整流翼の根元部に形成されたピニオンにかみ合うラックが形成されているとともに、前記リムに対する前記固定ハブの固定は、当該固定ハブを前記ファンの側から貫通するつまみねじによって行われる。
【０００７】
本発明の好ましい実施形態によれば、上記構成の扇風機において、前記固定ハブには、それを前記リムに仮固定するための仮固定爪が形成されている。
【０００８】
本発明の好ましい実施形態によれば、上記構成の扇風機において、前記固定ハブは前記リムの正面側に配置されたオーナメントディスクに前記つまみねじで連結され、当該オーナメントディスクと共に前記リムに固定されるものであり、前記オーナメントディスクを囲む形で配置された回転可能なリングが前記可動ハブに連結されて前記操作部を構成する。
【発明の効果】
【０００９】
本発明によると、整流翼の組立の中心である固定ハブは、前ガードのリムにつまみねじで固定されるものであり、ドライバーのような工具を使用することなく固定ハブを前ガードに取り付けたり、前ガードから取り外したりすることができから、整流翼の着脱が簡単である。
【図面の簡単な説明】
【００１０】
【図１】本発明の実施形態に係る扇風機の概略構造を示す部分側面図である。
【図２】整流翼が加速位置にある状況を示す前ガードの正面図である。
【図３】整流翼が分散位置にある状況を示す前ガードの正面図である。
【図４】実施形態に係る整流翼保持部の断面図である。
【図５】実施形態に係る整流翼保持部を異なる断面位置で示す断面図である。
【図６】実施形態に係る整流翼保持部をさらに異なる断面位置で示す部分断面図である。
【図７】扇風機の関連構造を示す斜視図である。
【図８】図７の扇風機の側面図である。
【図９】図７の扇風機のブロック構成図である。
【図１０】図７の扇風機の動作を説明するフローチャートである。
【図１１】扇風機の他の関連構造を示す前ガードの正面図である。
【図１２】図１１の前ガードの部分断面図である。
【発明を実施するための形態】
【００１１】
本発明が実施される扇風機の構造を図１に示す。扇風機１は、スタンド２（図１にはその上端部のみ示す）の上端にネック部３を俯仰可能に取り付け、ネック部３は支軸４によりモータケース５を回転可能に支持している。ネック部３とスタンド２の間には図示しないクリックストップ機構が設けられており、ネック部３は一定の角度範囲内で段階的に附仰角を変えることができる。モータケース５は首振り機構を内蔵していて、使用者が「首振り」の選択操作を行えば、モータケース５は支軸４を中心とした首振りを行う。これらの機構は周知なので詳細な説明は省略する。
【００１２】
モータケース５の正面（扇風機１の風を受ける使用者に向き合う側を「正面」とし、その反対側を「背面」とする。他の構成要素に関する「正面」「背面」も同様の意味で用いるものとする）からは、モータケース５に内蔵された図示しないモータの出力軸６が突出する。出力軸６にはファン７が固定される。ファン７を背面側から覆う後ガード８がモータケース５に取り付けられ、後ガード８にはファン７を正面側から覆う前ガード９が取り付けられる。
【００１３】
前ガード９とファン７の間には複数の整流翼１０が一定の角度間隔で放射状に配置される。整流翼１０は図２に示す「加速位置」と、図３に示す「分散位置」の２位置をとる。整流翼１０の翼面は、「加速位置」ではファン７からの空気流に対しほぼ平行となり、「分散位置」ではファン７からの空気流に対しほぼ直角となる。続いて整流翼１０の保持と角度変更の仕組みを図４及び図５に基づき説明する。
【００１４】
後ガード８及び前ガード９の主体をなすのは、所定ピッチで放射状に配置された複数の金属線である。前ガード９の中心には金属板をプレス成型したリング状部品であるリム１１が配置され、金属線に溶接固定される。このリム１１を中心として、整流翼保持部２０が組み立てられる。
【００１５】
整流翼保持部２０の主たる構成要素は、リム１１の背面側に配置される固定ハブ２１と、固定ハブ２１とリム１１の間に、固定ハブ２１に対し相対回転可能に配置される可動ハブ２２と、リム１１の正面側に配置されるオーナメントディスク２３と、オーナメントディスク２３を囲む形で配置された回転可能なリング２４である。
【００１６】
図５に示すように、オーナメントディスク２３の背面側にはリム１１に形成された穴２５に嵌合するボス２６が形成され、固定ハブ２１の正面側には、可動ハブ２２に形成された穴２７を貫通してボス２６に突き合わせられるボス２８が形成されている。ボス２６、２８を連結するのは、頭を指でつまんで回すことができるつまみねじ２９である。つまみねじ２９をファン７の側から、すなわち背面側からボス２８に挿入して固定ハブ２１を貫通させ、つまみねじ２９の先端をボス２６にねじ込むことにより、固定ハブ２１とオーナメントディスク２３はリム１１に固定され、リム１１に対し前後方向に移動することも、回転することもできなくなる。穴２５、ボス２６、及びボス２８の組み合わせは、正面から見たとき、前ガード９の中心に対し点対称をなすように２組設けられる。
【００１７】
固定ハブ２１は、それをリム１１に仮固定するための仮固定爪３０を有する。仮固定爪３０はリム１１の内縁に弾性係合するものであり、所定の角度間隔で複数形成される。整流翼１０、固定ハブ２１、及び可動ハブ２２を組み合わせたものを仮固定爪３０でリム１１に仮固定しておくことにより、前ガード９の正面側からオーナメントディスク２３とリング２４を組み合わせる作業を容易に行うことができる。
【００１８】
可動ハブ２２はリング２４に連結される。リング２４は、可動ハブ２２にとり、リム１１の正面側に突き出した操作部ということになる。
【００１９】
可動ハブ２２とリング２４の連結は、図６に示す通り、可動ハブ２２に設けた穴２２ａに、リング２４の背面側に突設されたピン２４ａを嵌め込んで行われる。この嵌め合いにより、可動ハブ２２とリング２４は一体的に回動する。
【００２０】
可動ハブ２２の正面側には穴２２ａを囲むボス２２ｂが突設される。ボス２２ｂはリム１１に形成された穴１１ａに嵌合する。穴１１ａは、リム１１の中心を円弧の中心とする円弧状の長穴とされ、その長穴の長さの範囲内でリング２４及び可動ハブ２２の回動が可能である。
【００２１】
固定ハブ２１と可動ハブ２２はいずれも回転体形状（図形を軸線周りに３６０°回転させて得られる立体形状）が基本形状であって、固定ハブ２１は正面側が凹部、可動ハブ２２は背面側が凹部となっており、両者を組み合わせると環状の空間３１が形成される。固定ハブ２１と可動ハブ２２の組み合わせ状態は、一方の口縁に形成された内フランジ（図示せず）に、他方の口縁に形成された弾性フック（図示せず）を係合させて維持される。前記弾性フックが前記内フランジに係合した状態でも、可動ハブ２２の固定ハブ２１に対する相対回転が可能であるように、固定ハブ２１と可動ハブ２２のはめ合い寸法が設定されている。
【００２２】
空間３１に整流翼１０の根元部１０ａが挿入される。根元部１０ａは整流翼１０の角度変更を行う際に軸として機能するものであり、前ガード９の中心軸から放射方向に延びる軸線を有する。
【００２３】
固定ハブ２１には、整流翼１０の根元部１０ａを受け入れる半円形の凹部３２（図５参照）が形成される。凹部３２は根元部１０ａの軸線方向に間隔を置いて２カ所に形成されている。固定ハブ２１の外周側の凹部３２には可動ハブ２２の外周部が向き合い、固定ハブ２１の中心側の凹部３２には可動ハブ２２の中心側に形成されたリブ３３が向き合う。可動ハブ２２の外周部とリブ３３には、凹部３２に組み合わせられて凹部３２と共に整流翼１０の軸受部を構成する凹部３４が形成される。
【００２４】
可動ハブ２２は整流翼１０の根元部１０ａを凹部３２の中に押しとどめ、これにより整流翼１０は、根元部１０ａの軸線を中心にして回転できるように、且つ放射方向に抜け出すことがないように保持される。固定ハブ２１と可動ハブ２２の結合が、前述のように弾性フックと内フランジの係合で維持されていれば、整流翼１０の保持も維持されることになる。
【００２５】
固定ハブ２１の凹部３２は半円形であるのに対し、可動ハブ２２の凹部３４は円周方向に所定の長さを有し、これにより可動ハブ２２の固定ハブ２１に対する相対回転が可能となっている。可動ハブ２２の固定ハブ２１に対する相対回転範囲を定めるのは、可動ハブ２２の正面側に突出したボス２２ｂと、これを受け入れるべくリム１１に形成された穴１１ａである。穴１１ａは円弧状の長穴となっており、その長穴の長さの範囲内でボス２２ｂの移動が可能になっている。このボス２２ｂと穴１１ａの組み合わせも、正面から見たとき、前ガード９の中心に対し点対称をなすように２組設けられる。
【００２６】
固定ハブ２１のボス２８は可動ハブ２２に形成された穴２７を通り抜ける。穴２７も円弧状の長穴であり、可動ハブ２２の固定ハブ２１に対する相対回転を妨げないようになっている。
【００２７】
根元部１０ａの中程にはピニオン３５が形成され、可動ハブ２２の背面側にはピニオン３５にかみ合うラック３６が形成される。ピニオン３５の歯は根元部１０ａの全周に存在する訳ではなく、１８０°に満たない角度範囲に存在する。ラック３６の歯も、全円をなすよう連続している訳ではなく、根元部１０ａに対応する箇所毎に、根元部１０ａを所定角度回転させるに足りる分だけ存在する。このような構成であるにも関わらず、前述の通り可動ハブ２２の回転範囲が制限されているので、ピニオン３５とラック３６のかみ合わせが外れてしまうことはない。
【００２８】
リング２４をつかんでひねると、可動ハブ２２が回転し、ラック３６がピニオン３５を回転させ、整流翼１０の角度が図２の「加速位置」から図３の「分散位置」へ、あるいはその逆へと変化する。リング２４は直径が大きいので、可動ハブ２２を楽に回すことができる。
【００２９】
汚れた整流翼１０を掃除するときや、扇風機１を分解収納するときは、前ガード９を後ガード８から取り外した上で、固定ハブ２１とオーナメントディスク２３を連結している
つまみねじ２９を指でつまんで緩め、オーナメントディスク２３を取り外す。その後リング２４を可動ハブ２２から外し、最後に仮固定爪３０とリム１１の係合を外して可動ハブ２２と固定ハブ２１の組み合わさったものをリム１１から外す。ドライバーのような工具を必要としないので、手軽に作業を行うことができる。組み立て作業も容易である。
【００３０】
扇風機１の使い勝手を良くする工夫を図７から図１０に示す。従来、夜中に起きて扇風機を操作する場合、室内が暗闇であると、扇風機の操作部の位置がわからないという問題があった。特に、最近の扇風機の多くは操作スイッチがメンブレンタイプになっているため、指で探ってもスイッチの位置を見つけにくい。暗闇の中で扇風機の操作を行うことをあきらめ、部屋の照明をつけたとすれば、目が光に慣れていないため、甚だしく眩しい思いをする。
【００３１】
上記のような問題を解決するため、操作部に照明部を設け、暗い中で使用者が扇風機１に近づくと人感センサがそれを感知して照明部を点灯させ、操作を容易に行えるようにする。
【００３２】
扇風機１のスタンド２は円盤状のスタンドベース４０を有する。スタンドベース４０には操作部４１が設けられる。操作部４１は、ファン７の回転速度の切り替えや、タイマーの設定などを行うための複数のスイッチ４２を有する。スタンドベース４０の内部には操作部４１の回路基板４３が配置されている。
【００３３】
操作部４１には、それを照明するための照明部４４が設けられる。照明部４４の光源はＬＥＤである。照明部４４は、図７では操作部４１の傍らで光り、暗闇の中で操作部４１の存在を教えるものとなっているが、操作部４１を正面側から照射するものであってもよく、スイッチ４２を中から照明するものであってもよい。照明部４４は、スタンドベース４０に設けられた人感センサ４５と光センサ４６の信号に基づき点灯し、また消灯する。
【００３４】
扇風機１の制御システムは図９に示す構成となっている。扇風機１の制御を司る制御部５０はマイクロコンピュータを中核として構成され、操作部４１、人感センサ４５、及び光センサ４６から出力信号を受け取り、ファン７を回転させるモータ５１の駆動回路５２と、照明部４４を点灯させる点灯回路５３に対し制御信号を出力する。
【００３５】
人感センサ４５と光センサ４６の動作を図１０のフローチャートで説明する。ステップ＃１０１では、光センサ４６が扇風機１の周囲の照度を測定し、その値を制御部５０に出力する。ステップ＃１０２で制御部５０は、光センサ４６の出力信号の値と所定の基準照度を比較し、周囲の照度が基準以上であるかどうかを判定する。周囲の照度が基準以上であればステップ＃１０６に進み、基準未満であればステップ＃１０３に進む。
【００３６】
ステップ＃１０６に進んだ場合、その時点で照明部４４が点灯中であれば照明部４４は消灯され、ステップ＃１０１に戻る。
【００３７】
ステップ＃１０３に進んだときは、人感センサ４５が人の動きを探索し、制御部５０に出力信号を出す。ステップ＃１０４で制御部５０は、人感センサ４５の出力信号の値と所定のしきい値を比較する。使用者が扇風機１の操作を行おうとしている状況であれば、出力信号の値はしきい値を超えているので、制御部５０は人の動きありと判定する。この場合はステップ＃１０５に進む。制御部５０が人の動きなしと判定したときはステップ＃１０６に進む。
【００３８】
ステップ＃１０５に進んだときは、制御部５０は照明部４４を点灯させる。これにより使用者は、暗闇の中でも扇風機１を操作することができる。照明部４４の光源はＬＥＤであるため、寝起きの目にも眩しくない。
【００３９】
照明部４４が点灯するとき、扇風機１のファン７が回転しているか否かで照明部４４の発光色を変えてもよい。例えば、ファン７が回転しているときは赤色に発光させて使用者に注意を促し、ファン７が停止中のときは緑色に発光させる、といった具合にする。
【００４０】
ステップ＃１０５の後、ステップ＃１０１に戻る。操作を終えた使用者が再び寝付き、動きを止めれば、人感センサ４５からの出力レベルが下がるので、ステップ＃１０４の段階で人の動きなしと判定され、ステップ＃１０６に進む。点灯していた照明部４４はステップ＃１０６で消灯する。
【００４１】
照明部４４は、暗い中で操作部４１の位置を教えるだけでなく、ファン７の回転状態を表示するのにも用いることができる。それには、人感センサ４５と光センサ４６の出力信号の値にかかわらず、ファン７が回転している間は照明部４４が点灯しているようにすればよい。ファン７の回転を強弱に切り替えられるようになっている場合は、強弱に合わせて照明部４４の発光色が変わるようにしておくとよい。
【００４２】
扇風機１の使い勝手を良くするもう一つの工夫を図１１及び図１２に示す。ここでは整流翼１０の先端に正面形状が四角形となった枠１０ａが形成され、枠１０ａの正面には前ガード９の金属線に接触する弾き爪１０ｂが形成されている。弾き爪１０ｂは放射方向に延びるものであり、それが２個、互いに間隔を置いて枠１０ａに配置されている。
【００４３】
整流翼１０の角度が図２の「加速位置」から図３の「分散位置」へ、あるいはその逆へと変化する過程で、弾き爪１０ｂが前ガード９の金属線を弾く。その時に生じる振動で前ガード９に付着した埃が落ちる。このため、前ガード９を清潔に保つことができる。
【００４４】
以上、本発明の実施形態につき説明したが、本発明の範囲はこれに限定されるものではなく、発明の主旨を逸脱しない範囲で種々の変更を加えて実施することができる。
【産業上の利用可能性】
【００４５】
本発明は、扇風機に広く利用可能である。
【符号の説明】
【００４６】
１    扇風機
７    ファン
８    後ガード
９    前ガード
１０  整流翼
１０ａ  根元部
１１  リム
２０  整流翼保持部
２１  固定ハブ
２２  可動ハブ
２３  オーナメントディスク
２４  リング（操作部）
２９  つまみねじ
３２  凹部
３５  ピニオン
３６  ラック
【図１】
2012031750.tif 000003
【図２】
2012031750.tif 000004
【図３】
2012031750.tif 000005
【図４】
2012031750.tif 000006
【図５】
2012031750.tif 000007
【図６】
2012031750.tif 000008
【図７】
2012031750.tif 000009
【図８】
2012031750.tif 000010
【図９】
2012031750.tif 000011
【図１０】
2012031750.tif 000012
【図１１】
2012031750.tif 000013
【図１２】
2012031750.tif 000014